(57)【特許請求の範囲】
【請求項１】
左右一対の縦枠の一方を、開閉可能に張設するスクリーンの収納ボックスとし、その他方を、該スクリーンの一端に連結された可動框のスクリーン展張時の受け枠とし、該可動框をスクリーン枠の上下横枠にガイドさせて、該可動框に作用する付勢力によりスクリーンを上記収納ボックスに収納可能にした横引きのスクリーン装置において、
上記可動框が、断面形状一定で長尺の框材における上下端に上記上下横枠にガイドされるガイド部材を備えたものとして構成され、
上記可動框と上記スクリーンの展張状態において該可動框が当接する受け枠との間に設けられるラッチ機構が、上記可動框に取り付けられるところの掛け鈎を有するラッチ部材と上記受け枠に設けられるラッチ受けとによって構成され、
上記ラッチ部材が、上記可動框の框材の長手方向に摺動可能に外嵌して該框材の所要位置に固定されるラッチ部材の本体に、上記受け枠におけるラッチ受けの係合縁に乗り上げるガイド斜面とその基端側に位置して上記係合縁に係合する掛け鈎とを設けると共に、ラッチ解除時に該ラッチ部材と共に可動框を上動させるための持上げ面を設けることにより構成され、
上記ラッチ受けが、上記掛け鈎が挿入される凹部の開口下縁に上向きの上記係合縁を有するものとして構成され、
上記可動框の上下端をガイドする上下横枠間に、可動框における上記掛け鈎がラッチ受けの係合縁に乗り上げるのを許容する寸法的余裕を持たせている、
ことを特徴とするスクリーン装置。
【請求項２】
上記可動框における框材が、その表裏側に該框材の長手方向に沿って設けられている手掛け溝を備え、上記ラッチ部材本体が、上記手掛け溝にそれぞれ嵌入するブロック状部を有していて、上記持上げ面が該ブロック状部に形成されている、
ことを特徴とする請求項１に記載のスクリーン装置。
【請求項３】
上記スクリーン枠の外形を上下対称形状に形成し、上記ラッチ部材本体におけるガイド斜面、掛け鈎及び持上げ面を上下対称に形成すると共に、上記ラッチ受けを受け枠に上下反転して取り付け可能とし、
該スクリーン枠をその枠面内において１８０°回転させて天地を逆にすることにより吊り元を左右逆に変更した状態においても、ラッチ機構を機能可能にしている、
ことを特徴とする請求項１または２に記載のスクリーン装置。
【請求項４】
上記ラッチ部材が、可動框の框材に摺動可能に外嵌するラッチ部材の本体と、該本体における上記受け枠側に設けられたガイド斜面と、それらの基端側に位置する掛け鈎と、上記ラッチ部材の本体の両端において設けられ、上記框材の手掛け溝に嵌入するように形成されたブロック状部とを、合成樹脂により一体成形することにより構成されている、
ことを特徴とする請求項２に従属する請求項３に記載のスクリーン装置。
【請求項５】
可動框により開閉可能なスクリーンを、巻取軸に内蔵したスプリングの付勢力で巻き取るロールスクリーンとした、
ことを特徴とする請求項１〜４のいずれかに記載のスクリーン装置。
【発明の詳細な説明】
【技術分野】
【０００１】
本発明は、スクリーン枠の上下横枠にガイドさせた可動框により開閉操作可能にしたスクリーンをスプリングの付勢力で収納するようにした横引きのスクリーン装置に関するものであり、更に具体的には、上記可動框とスクリーンの展張状態において該可動框が当接する受け枠との間に設けられるラッチ機構を改良してなるスクリーン装置に関するものである。
【背景技術】
【０００２】
従来から、防虫や遮光、目隠し、断熱等のためのスクリーン装置において、スクリーンを展張した状態で可動框を受け枠に保持させるラッチ機構としては、可動框とスクリーン枠における受け枠との間にマグネットを用いたり、掛け鈎等を用いているが、それぞれに問題点もあり、一層の簡単化、操作性の改善が望まれている。
例えば、上記マグネットを用いる場合には、安定的な吸着のためにマグネットの吸着力を大きくすると、スクリーンの収納のためにマグネットを吸着状態から離脱させるのに比較的大きな操作力を必要とし、また、風等によりスクリーンが煽られたときや、スクリーンに不測の外力が作用したときに、そのラッチ機構が外れてスクリーンが不用意に収納されることがあるなど、ラッチ機能が不安定である。更に、上記スプリングの付勢力の違いによりマグネットの引離し荷重が変化してしまうという問題がある。
【０００３】
一方、このラッチ機能を安定化させるために掛け鈎を設ける場合には、上記マグネットを用いる場合に比して構造的に複雑化すると共に部品点数が多くなり、特にスクリーン装置の天地を逆にすることにより吊り元を左右逆に変更可能にするとき、一般的には、掛け鈎をそのまま利用することができず、天地が逆の姿勢で係脱できるように付け替えることが必要であり、仮に天地を逆にしたときにもラッチ機構の係脱が可能に構成されているにしても、その場合には、天地を正逆にする場合のラッチ機構を個別的に併設するのが通例であり、そのため、至便ではあるが部品点数が多くなり、比較的高価なものになる。
【０００４】
上述したところからすれば、上記ラッチ機構は、マグネットを用いる場合よりも掛け鈎を用いる方が安定的なラッチ機能を発揮させることができるが、構造的に複雑化すると共に部品点数が多くなるなどの問題があり、そのため、特許文献１に開示されているものよりも構造を更に簡単化すると共に係脱操作を容易にし、また、そのラッチ機構を構成する部材の可動框及び受け枠に対する取り付け及び上下位置の相互調整を簡単且つ容易にすると同時に、スクリーン装置の天地を逆にして吊り元を左右逆に変更する場合の付け替えをも簡単にすることが望まれる。
【先行技術文献】
【特許文献】
【０００５】
【特許文献１】特開２００９−２２１８１１号公報
【発明の概要】
【発明が解決しようとする課題】
【０００６】
本発明の技術的課題は、可動框に作用するスプリングの付勢力によりスクリーンを収納ボックスに収納可能にした横引きのスクリーン装置において、ラッチ部材として安定的に機能を発揮する掛け鈎を有するものを、その構造を簡単化すると同時に係脱操作を容易にし、また、そのラッチ機構を構成する部材の可動框及び受け枠に対する取り付け及び上下位置の調整、並びにスクリーン装置の天地を逆にして吊り元を左右逆に変更する場合のラッチ部材の付け替えを簡単且つ容易にすることにある。
【課題を解決するための手段】
【０００７】
上記課題を解決するため、本発明は、左右一対の縦枠の一方を、開閉可能に張設するスクリーンの収納ボックスとし、その他方を、該スクリーンの一端に連結された可動框のスクリーン展張時の受け枠とし、該可動框をスクリーン枠の上下横枠にガイドさせて、該可動框に作用する付勢力によりスクリーンを上記収納ボックスに収納可能にした横引きのスクリーン装置において、上記可動框が、断面形状一定で長尺の框材における上下端に上記上下横枠にガイドされるガイド部材を備えたものとして構成され、上記可動框と上記スクリーンの展張状態において該可動框が当接する受け枠との間に設けられるラッチ機構が、上記可動框に取り付けられるところの掛け鈎を有するラッチ部材と上記受け枠に設けられるラッチ受けとによって構成され、上記ラッチ部材が、上記可動框の框材の長手方向に摺動可能に外嵌して該框材の所要位置に固定されるラッチ部材の本体に、上記受け枠におけるラッチ受けの係合縁に乗り上げるガイド斜面とその基端側に位置して上記係合縁に係合する掛け鈎とを設けると共に、ラッチ解除時に該ラッチ部材と共に可動框を上動させるための持上げ面を設けることにより構成され、上記ラッチ受けが、上記掛け鈎が挿入される凹部の開口下縁に上向きの上記係合縁を有するものとして構成され、上記可動框の上下端をガイドする上下横枠間に、可動框における上記掛け鈎がラッチ受けの係合縁に乗り上げるのを許容する寸法的余裕を持たせていることを特徴とするスクリーン装置が提供される。
【０００８】
本発明に係るスクリーン装置の好ましい実施形態においては、上記可動框における框材が、その表裏側に該框材の長手方向に沿って設けられている手掛け溝を備え、上記ラッチ部材本体が、上記手掛け溝にそれぞれ嵌入するブロック状部を有していて、上記持上げ面が該ブロック状部に形成される。
【０００９】
また、本発明に係るスクリーン装置の他の好ましい実施形態においては、上記スクリーン枠の外形を上下対称形状に形成し、上記ラッチ部材本体におけるガイド斜面、掛け鈎及び持上げ面を上下対称に形成すると共に、上記ラッチ受けを受け枠に上下反転して取り付け可能とし、該スクリーン枠をその枠面内において１８０°回転させて天地を逆にすることにより吊り元を左右逆に変更した状態においても、ラッチ機構を機能可能なものとして構成される。
【００１０】
更に、本発明に係るスクリーン装置の他の好ましい実施形態においては、上記ラッチ部材が、可動框の框材に摺動可能に外嵌するラッチ部材の本体と、該本体における上記受け枠側に設けられたガイド斜面と、それらの基端側に位置する掛け鈎と、上記ラッチ部材の本体の両端において設けられ、上記框材の手掛け溝に嵌入するように形成されたブロック状部とを、合成樹脂により一体成形することにより構成される。
上記可動框により開閉可能なスクリーンは、巻取軸に内蔵したスプリングの付勢力で巻き取るロールスクリーンとすることができるが、一定幅で交互に逆方向に折り畳むことによりアコーディオン状に形成したスクリーンとすることもできる。
【００１１】
上記構成を有するスクリーン装置において、スクリーンを展張する際には、可動框の手掛け溝に手を掛け、該可動框を受け枠側に移動させて該受け枠に当接させればよく、それによりラッチ部材の掛け鈎の下部にあるガイド斜面がラッチ受けの係合縁に乗り上げたうえで掛け鈎が該係合縁の背後に係合し、可動框が受け枠に保持されてスクリーンが展張状態になる。また、展張したスクリーンを収納ボックスに収めるには、可動框の手掛け溝内に位置する上記ラッチ部材のブロック状部の下面の持上げ面に指を掛け、該ラッチ部材と共に可動框を上動させて、掛け鈎がラッチ受けの係合縁を越える位置までラッチ部材を持ち上げると、可動框に作用する収納ボックスのスプリングの付勢力により可動框が収納ボックス側に引き寄せられ、スクリーンを展張していた建物開口部が開放される。
【００１２】
スクリーンの開閉の左右勝手を変更する場合には、上記ラッチ受けを受け枠に上下反転させて取り付け、また、必要に応じて上記ラッチ部材をネジ等で可動框に取り付けている上下位置を調整し、可動框を受け枠に当接させる際にラッチ部材のガイド斜面がラッチ受けの係合縁に乗り上げる位置に固定すればよい。
いずれの場合においても、上記ラッチ部材を可動框の框材に外嵌する一体成形の部材として構成しておくと、該ラッチ部材の取り付け、調整等を極めて簡単且つ容易に行うことができる。
【発明の効果】
【００１３】
以上に詳述した本発明によれば、可動框に作用するスプリングの付勢力によりスクリーンを収納ボックスに収納可能にした横引きのスクリーン装置において、ラッチ部材として安定的に機能を発揮する掛け鈎を有するものを用い、その構造を簡単化すると同時に係脱操作を容易にし、また、そのラッチ機構を構成する部材の可動框及び受け枠に対する取り付け及び上下位置の調整、並びにスクリーン装置の天地を逆にして吊り元を左右逆に変更する場合のラッチ部材の付け替えを簡単且つ容易に行うことができる。
【図面の簡単な説明】
【００１４】
【図１】本発明に係るスクリーン装置の実施の一例を示す正面図である。
【図２】同横断面図である。
【図３】（ａ）は可動框の断面図、（ｂ）は該可動框に外嵌するラッチ部材の平面図である。
【図４】ラッチ部材を有する可動框とラッチ受けを有する受け枠の構成を示す要部斜視図である。
【図５】（ａ）はラッチ受けに対するラッチ部材の係合前の状態、（ｂ）は最終的な係合状態を示す説明図である。
【発明を実施するための形態】
【００１５】
図１及び図２は本発明に係るスクリーン装置の実施例を示し、図３〜図５は当該実施例要部の構成を示している。
このスクリーン装置は、建物開口部に設置して、防虫、断熱、遮光、あるいは目隠し等に供するもので、建物開口部に設置されるスクリーン枠１を、左右一対の縦枠の一方を、張設するスクリーン９の巻取軸７の収納ボックス２とし、その他方を、該スクリーン９の一端が連結されて該スクリーンの開閉操作を行う可動框６の受け枠３とし、それらの収納ボックス２及び受け枠３を、上記可動框６の上下端をガイドする上下の横枠４，５によって相互に連結することにより、スクリーン枠１を一つのユニットとして構成したものである。
【００１６】
上記収納ボックス２は、その内部に、スクリーン９を巻き取るために該スクリーン９の巻取り方向にばね付勢された回転自在の巻取軸７を備え、それによってスクリーン９を該巻取軸７に巻き取り可能に形成したものである。上記巻取軸７には、スクリーン９に常に巻取り方向への付勢力を付与するスプリング８を内蔵している。なお、この実施例では、上記スクリーン９が巻取軸７に巻かれたロールスクリーンであり、それを巻き戻すことによりスクリーン枠１内に張設するようにしているが、上記スクリーン９に代えて、一定幅で交互に逆方向に折り畳むことによりアコーディオン状に形成し、該スクリーンの収納ボックス２への収納は、該収納ボックス２に、該スクリーンに対して常にその折畳み方向への付勢力を付与するスプリングを内蔵したものとして構成することもできる。
【００１７】
上記可動框６は、図３の（ａ）に示すような一定の断面形状を有する長尺の框材１０の上下端に、図１に示すような、上下横枠４，５にガイドされるガイド部材１１，１２を備えたものとして構成され、上記框材１０は、スクリーン９の展張状態において受け枠３に当接する当接面１０ａを備えると共に、スクリーン９の端部に設けた取付部材９ａを弾性的に嵌着する取付溝１０ｂを有し、更にその表裏側に該框材１０の長手方向に沿って設けられている一対の手掛け溝１０ｃを備えたものである。そして、上記可動框６の框材１０と上記スクリーン９の展張状態において該可動框６が当接する受け枠３との間に、それらを当接状態に保持するところの、図４に示すようなラッチ機構が設けられている。
【００１８】
上記ラッチ機構は、上記可動框６の框材１０の長手方向に摺動可能に外嵌させて任意位置に取り付けられるところの、図３の（ｂ）及び図４に示すような掛け鈎１６ａを有するラッチ部材１５と、上記受け枠３に設けられるラッチ受け１８とによって構成されるものである。
上記ラッチ部材１５は、上記可動框６の框材１０の長手方向に摺動可能に外嵌して該框材１０の所要位置にネジ１７の止着等の簡易な手段で固定されるものである。上記固定はネジに限るものではなく、また、図示のような掛け鈎１６ａの側部に限らず、任意位置において簡易に着脱できる手段を用いて固定することができる。一方、上記ラッチ受け１８は、上記受け枠３に取り付けられ、上記掛け鈎１６ａが挿入される凹部１８ａの開口下縁に上向きの係合縁１８ｂを有するものである。
【００１９】
上記ラッチ部材１５の構成について更に具体的に説明すると、該ラッチ部材１５は、可動框６の框材１０の周囲に、その長手方向に沿って摺動可能に外嵌するラッチ部材の本体１６と、該本体１６における受け枠３側の面に、図５に明瞭に示すところの、上記受け枠３におけるラッチ受け１８の係合縁１８ｂに乗り上げる上下一対のガイド斜面１６ｂと、それらの基端側に位置して上記係合縁１８ｂに係合する互いに上下の背向方向に向いた一対の上記掛け鈎１６ａとを設けると共に、図４に示すように、上記本体１６の両端に設けられ、上記框材１０の表裏側の手掛け溝１０ｃにそれぞれ嵌入するように形成されて、上下面にラッチ解除時に可動框６を手動で上動させるための持上げ面１６ｄを有するブロック状部１６ｃを設け、これらを合成樹脂により一体成形したものである。なお、上記本体１６における上下一対の掛け鈎１６ａやガイド斜面１６ｂ、ブロック状部１６ｃの持上げ面１６ｄは、後述のように、スクリーン枠１の天地を逆にして用いる場合に必要なものである。
【００２０】
一方、上記ラッチ受け１８は、図５に示すように、受け枠３に設けた取付孔３ａの周囲に表面板１８ｃの外縁を当接して該取付孔３ａに嵌入し、該ラッチ受け１８に設けた弾性的係合子１９を上記取付孔３ａの内縁に係合させることにより受け枠３に保持させたもので、上記係合子１９は、上記表面板１８ｃに設けた操作孔１８ｄを通して離脱用ピンを挿入することにより、上記取付孔３ａの内縁から離脱させ得るもので、それにより上記ラッチ受け１８を受け枠３から取り外し可能に形成している。従って、スクリーン枠１の天地を逆にして用いる場合には、上記ラッチ受け１８を簡単に取り外してその上下を反転させることができる。
【００２１】
上記ラッチ受け１８が、凹部１８ａの開口下縁に上向きの係合縁１８ｂを有するものであることは前述した通りであるが、図４に明瞭に示すように、その係合縁１８ｂの外側に掛け鈎１６ａの上動を助ける斜面１８ｅを設けておくのが望ましい。
なお、上記ラッチ受け１８は、受け枠３自体の開口に上記係合縁１８ｂに相当するものを設けることによっても構成できるが、この場合には、スクリーン枠１の天地を逆にして用いる場合を考慮すると、上記係合縁１８ｂは受け枠３の開口の上下縁を設けておく必要がある。
【００２２】
上記スクリーン装置は、スクリーン枠１をその枠面内において１８０°回転させて、その天地を逆にして設置することにより吊り元を左右逆に変更し、スクリーン９の開閉を左勝手または右勝手のいずれにも対応可能にしたものであるが、上記スクリーン枠１は、それを上下反転したときに完全に同一形態のものとして構成する必要はなく、スクリーン９の開閉を左勝手または右勝手のいずれにおいても使用できる程度に外形及び機能が同じものであればよい。勿論、上記ラッチ機構は、上述したところから明らかなように、スクリーン枠１の天地を逆にした状態においても機能可能に構成している。
【００２３】
上記構成を有するスクリーン装置において、スクリーン９を展張する際には、可動框６の框材１０の手掛け溝１０ｃに手を掛け、該可動框６を受け枠３側に移動させて該受け枠３に当接させればよく、それにより、図５の（ａ）に示すように、ラッチ部材１５の掛け鈎１６ａの先端側にあるガイド斜面１６ｂがラッチ受け１８の係合縁１８ｂに乗り上げたうえで、同図の（ｂ）に示すように、該掛け鈎１６ａが該係合縁１８ｂの背後に係合し、可動框６が受け枠３に保持されてスクリーン９が展張状態になる。
【００２４】
また、展張したスクリーン９を収納ボックス２に収めるには、可動框６の手掛け溝１０ｃ内に位置する上記ラッチ部材１５のブロック状部１６ｃの下面の持上げ面１６ｄに指を掛け、該ラッチ部材１５と共に可動框６を上動させて、掛け鈎１６ａがラッチ受け１８の係合縁１８ｂを越える位置までラッチ部材１５を持ち上げると、可動框６に作用する収納ボックス２のスプリング８の付勢力により可動框６が収納ボックス２側に引き寄せられ、スクリーン９を展張していた建物開口部が開放される。
そのため、上記可動框６の上下端をガイドする上下横枠４，５間に、可動框６における上記掛け鈎１６ａがラッチ受け１８の係合縁１８ｂを越える位置まで上動するのを許容する寸法的余裕を持たせておく必要がある。
【００２５】
スクリーン９の開閉の左右勝手を変更する場合には、上記ラッチ受け１８を受け枠３に上下反転させて取り付けたうえで、スクリーン枠１をその枠面内において１８０°回転させて天地を逆にし、必要に応じて、上記ラッチ部材１５をネジ１７等で可動框６に取り付けている上下位置を調整し、可動框６を受け枠３に当接させる際にラッチ部材１５のガイド斜面１６ｂがラッチ受け１８の係合縁１８ｂに乗り上げる位置に固定すればよい。
いずれの場合においても、上記ラッチ部材１５を可動框６の框材１０に外嵌する一体成形の部材として構成しておくと、該ラッチ部材１５の取り付け、調整等を極めて簡単且つ容易に行うことができる。
【符号の説明】
【００２６】
１      スクリーン枠
２      収納ボックス
３      受け枠
４，５    上下横枠
６      可動框
９      スクリーン
１０      框材
１５      ラッチ部材
１６      ラッチ部材の本体
１６ａ    掛け鈎
１６ｂ    ガイド斜面
１６ｄ    持上げ面
１８      ラッチ受け
１８ａ    凹部
１８ｂ    係合縁
【図１】
0005606980.tif 000002
【図２】
0005606980.tif 000003
【図３】
0005606980.tif 000004
【図４】
0005606980.tif 000005
【図５】
0005606980.tif 000006